(57)【特許請求の範囲】
【請求項１】
主原料として天然セルローズを用い，該天然セルローズにオパール質殻製粉末形状の珪藻土原材料と，粉末形状のキトサン原材料を添加混合して調整した生ゴミ分解処理促進剤であって，繊維形状と粉形状から成る該天然セルローズは繊維形状を主成分とし，該珪藻土の原材料の該生ゴミ分解処理促進剤に対する混合重量％は，少なくとも１０％以上とし，そして該キトサンの原材料の混合重量％は，少なくとも５％以上とすることを特徴とする生ゴミ分解処理促進剤。
【発明の詳細な説明】
【０００１】
【発明の属する技術分野】
本発明は，廃油を含有する生ゴミの微生物分解消滅を促進する，生ゴミ分解処理促進剤に関する。
【０００２】
【従来の技術】
従来技術の生ゴミを微生物で分解消滅する生ゴミ処理装置は各種あるが，食用油等の廃油を含有する生ゴミを分解する菌床の促進剤に関してはあまりなく，例えば，特開平８─２４８２１の厨芥処理機においては，菌床の栄養供給原材料調整に言及しているだけである。
【０００３】
【発明が解決しようとする課題】
従来技術の特開平８─２４８２１の厨芥処理機においては，菌床の栄養供給原材料調整に言及しているだけであり，食用廃油等通常の家庭から排出する油脂成分を含有する生ゴミには適用できない問題点を有していた。
【０００４】
従来技術の特開平８─２４８２１の厨芥処理機等に，例えば，糸状菌を含む各種栄養剤を含有する分解菌原材料：５６ｋｇを投入して良く攪拌し，食用廃油等の油脂成分を約８重量％含有する生ゴミを１日１回，約１２ｋｇを投入し，約１９日間連続使用すると，最終の採取菌床試料の乾燥処理前後の重量を測定比較して求めた水分含有率は約８０％以上を示し，該菌床は水分が多く，泥の様な感触を呈し，表面には油膜によると思われる光沢が部分的に確認され，処理槽の内壁には，菌床が約数ｃｍの厚みで硬く固められ，該油脂成分により，油滴が該菌床にまとわりつき，該菌床中に直径数ｃｍの塊状になった固まりが目立ち，同時に該菌床からの水分の除去が抑制され，ｐＨ値が酸性側のｐＨ＝４．８に傾き，該処理槽内からすえた腐敗臭気と強い酸化油特有の悪臭が発生し，ソックスレー抽出法による油分定量測定をおこなうと，油分の分解率は約４０％を示し，油分の分解率が低く，このような菌床条件では，生ゴミの分解が行われず，腐敗だけが進行する恐れが多分に大きい問題点を有していた。
【０００５】
【課題を解決するための手段】
上記の問題点を解決するために，本発明の生ゴミ分解処理促進剤は，主原材料として高い油吸収能力を有する天然セルローズを用い，該天然セルローズに高い油吸収能力を有するオパール質殻製の珪藻土原材料と，生ゴミ分解作用を持つ微生物に必要なキチン質を補充し増殖させる作用を有するキトサン原材料を添加混合して調整した生ゴミ分解処理促進剤であって，これら原材料の各種混合例において，生ゴミ分解処理装置の容器に，栄養剤等を含む分解菌原材料を投入し攪拌し，更に通常の家庭から排出する油脂成分を含有する生ゴミに所定重量％の各混合例の生ゴミ分解処理促進剤を添加し，１回の投入量とし，所定の期間，一日１回，該投入量を投入・連続分解処理を行い．同一条件で使用した菌床のｐＨの測定，ソックスレー抽出法による油分定量，そして該菌床の目視による観察等により，該生ゴミだけでなく油脂成分をも分解する生ゴミ分解使用可否評価を行い，使用可能な該原材料の重量混合率の有効条件範囲を定めた。
【０００６】
【発明の実施の形態】
本発明の生ゴミ分解処理促進剤は，主原材料として天然セルローズを用い，該天然セルローズにオパール質殻製粉末形状の珪藻土原材料と，粉末形状のキトサン原材料を添加混合して調整した生ゴミ分解処理促進剤であって，繊維形状と粉形状から成る該天然セルローズは繊維形状を主成分とし，該珪藻土の原材料の該生ゴミ分解処理促進剤に対する混合重量％は，少なくとも１０数％以上とし，そして該キトサンの原材料の混合重量％は，少なくとも約５数％以上とすることを特徴とする。
【０００７】
本発明の生ゴミ分解処理促進剤は，食用廃油等通常の家庭から排出する油脂成分を含有する生ゴミに，該生ゴミ総重量に対し，数重量％の該生ゴミ分解処理促進剤を添加し，投入する１回の生ゴミ量とし，各種栄養剤とともに放線菌・糸状菌を含有する分解菌原材料を投入した，攪拌手段を有する生ゴミ分解処理装置の容器に該生ゴミ量を所定の期間定期的に連続して投入・攪拌して用いると，生ゴミの分解と共に，該油脂成分の分解をも同時に促進させる作用を有し，該分解時に発生する悪臭を抑制し，分解時間の短縮化と効率化を促進し，且つ該分解菌の増殖をも図る作用を有する。
【０００８】
本発明の生ゴミ分解処理促進剤を用いることにより，分解に使用した菌床のｐＨが中性側に傾き，そしてソックスレー抽出測定法による油分の分解率は従来技術による分解率に比べて数１０％も高くなり，分解されずに腐敗進行し生成する有機酸が減少し，悪臭の抑制が行われ，また該菌床自体は軽い綿状を呈し，分解により生成する水蒸気の除去も円滑に行われ，該菌床の湿度が５０％程度になり，該菌床の使用環境として最良の状態を維持する作用を有する。
【０００９】
本発明の生ゴミ分解処理促進剤の原材料としての，繊維形状と粉形状から成る天然セルローズにおいて，繊維形状を主成分とすれば，粉形状の該天然セルローズの含有量を多少変更しても，繊維形状と粉形状から成る天然セルローズの総計混合重量％が一定であれば，評価は変わらない作用を示す。
【００１０】
本発明の生ゴミ分解処理促進剤の原材料としての天然セルローズは，市販の綿製天然セルローズを用いることもでき，繊維形状から成る天然セルローズ１ｋｇ当たりの油吸収能力は１０数リットル，一方，粉形状から成る天然セルローズ１ｋｇ当たりの油吸収能力は数リットルを示し，どちらも高い油吸収能力を有する。
【００１１】
本発明の生ゴミ分解処理促進剤の原材料としてのオパール質殻製珪藻土は，主成分がＳｉＯ2 の粉末で多細胞構造を有し，１００ｇ当たりの油吸収能力は数１００ミリ・リットルを示し，高い油吸収能力を有する。
【００１２】
本発明の生ゴミ分解処理促進剤において，原材料であるオパール質殻製珪藻土の代わりに，藻の一種である，ケイソウ殻を原材料とする，ＳｉＯ2:85% を含有するシリカ質，多孔性の珪藻土素材は１００ｇ当たりの油吸収能力は１１０─１５０ミリ・リットルと，油吸収能力が上記オパール質殻製珪藻土に比べて低く，該ケイソウ殻製珪藻土の促進作用は低く，該オパール質殻製珪藻土の代替え原材料として推奨出来ない。
【００１３】
本発明の生ゴミ分解処理促進剤において，原材料であるキトサンは，カニ・エビ等の外骨格から精製した，キチンの化合物であり，生育促進剤及び土壌改良剤として，粉状で市販されており，微生物に必要なキチン質を補充し，放線菌等の微生物を増殖させ，土壌等菌床の微生物均衡を良くする作用を有する。
【００１４】
【実施例】
この発明の実施例を示す図面において，図１は生ゴミ分解処理促進剤に用いる，各種原材料の混合率を変えた混合例に対する，生ゴミ分解評価に対する，使用可否の結果である。
【００１５】
この発明の実施例を以下説明すると，生ゴミ分解処理促進剤は，主原材料として天然セルローズを用い，該天然セルローズにオパール質殻製粉末形状の珪藻土原材料と，粉末形状のキトサン原材料を添加混合して調整した生ゴミ分解処理促進剤であって，繊維形状と粉形状から成る該天然セルローズは繊維形状を主成分とし，該珪藻土の原材料の該生ゴミ分解処理促進剤に対する混合重量％は，少なくとも１０数％以上とし，そして該キトサンの原材料の混合重量％は，少なくとも約５数％以上とすることを特徴とする。
【００１６】
本発明の生ゴミ分解処理促進剤において，図１に示すように，原材料としての，繊維形状と粉形状から成る天然セルローズ，オパール質殻製粉末形状の珪藻土，そして粉末形状のキトサンの混合重量％を変えた混合例に対する，生ゴミ分解使用可否評価を行った。各混合例において，油脂成分を約８重量％含有する含有する生ゴミ約１２ｋｇに，約０．６ｋｇの各混合例の生ゴミ分解処理促進剤を添加し，１回当たりに投入する生ゴミ量とし，加熱・攪拌手段を有する生ゴミ分解処理装置の容器に糸状菌を含有する各種栄養剤を含有する分解菌原材料：５６ｋｇを投入して良く攪拌し，１日に１回，該生ゴミ量を投入し，分解処理を開始し，約１９日間分解処理を連続して行い，各混合例において，同一条件で使用した菌床のｐＨの測定，ソックスレー抽出法による油分定量，そして該菌床の目視による観察等により生ゴミ分解使用可否評価を行った。
【００１７】
上記，各混合例に対する使用可否評価は，図１に示すように，混合例１及び混合例２の混合条件が良く，評価を可とした。その理由は，使用した菌床のｐＨの測定により，ｐＨが５─６の範囲の数値を示し，中性側に傾き，そしてソックスレー抽出法による油分定量を行うと，油分の分解率は約７０％を示し，油分の該分解率が従来技術による生ゴミ分解処理促進剤を用いずに同一条件下で確保した分解率：約４０％に比べて約３０％も高くなり，分解されずに腐敗進行し生成する有機酸が減少しており，弱い酸化油の臭いはあるが，悪臭の抑制が観察され，最終の採取菌床試料の乾燥処理前後の重量を測定比較して求めた水分含有率は約５０％を示し，殆ど乾燥しており，該菌床自体は大部分が軽い綿状を呈し，一部は数ｍｍの米粒状の塊を形成し，分解により生成する水蒸気の除去も円滑に行われ，該菌床の使用環境として最良の状態を維持していた。一方，混合例３，混合例４，そして，混合例５においては，使用した菌床のｐＨは酸性側に移行しており，そしてソックスレー抽出法による油分定量を行うと，油分の分解率は低減し，分解されずに腐敗進行しすぎ，生成する有機酸が菌床に過剰に放出される傾向が観られ，強い酸化油の臭いがあり，悪臭の発生が抑制されず，且つ水分含有率は約６０％を示し，大体乾燥はしてはいるが，油脂成分の油滴が該菌床にまとわりつき，５─２０ｍｍ程度の大きさの粒状になった固まりが目立ち，生成水分の除去が進まず，該菌床の働きに影響を及ぼしている様子が観察された。
【００１８】
上記，各種混合例の使用評価により，オパール質殻製珪藻土の原材料の生ゴミ分解処理促進剤に対する混合重量％が，少なくとも１０数％以上の場合は，使用評価は良く，そしてキトサンの原材料の混合重量％が，少なくとも約５数％以上の場合は，使用評価は良好である事が分かった。また，繊維形状と粉形状から成る天然セルローズにおいて，繊維形状を主成分とすれば，粉形状の該天然セルローズの含有量を多少変更しても，繊維形状と粉形状から成る天然セルローズの総計混合重量％が一定であれば，評価は変わらない事を示した。
【００１９】
本発明の生ゴミ分解処理促進剤において，原材料である天然セルローズは綿製で，市販のビードレックス社の商品名：オイルソーブを用い，繊維形状から成る天然セルローズ１ｋｇ当たりの油吸収能力は１８リットル，一方，粉形状から成る天然セルローズ１ｋｇ当たりの油吸収能力は４リットルであった。
【００２０】
本発明の生ゴミ分解処理促進剤において，原材料であるオパール質殻製珪藻土は，ＳｉＯ2:77.6% の粉末で多細胞構造を有し，１００ｇ当たりの油吸収能力は４２０ミリ・リットルであった。
【００２１】
本発明の生ゴミ分解処理促進剤において，原材料であるオパール質殻製珪藻土の代わりに，藻の一種である，ケイソウ殻を原材料とする，ＳｉＯ2:85% を含有するシリカ質，多孔性の珪藻土素材は１００ｇ当たりの油吸収能力は１１０─１５０ミリ・リットルと，油吸収能力が上記オパール質殻製珪藻土に比べて低く，上記，混合例と同一条件で使用評価をすると，全ての評価は否であった。
【００２２】
【発明の効果】
本発明は，以上説明した様な形態で実施され，以下に記載される様な効果を有する。
【００２３】
本発明の生ゴミ分解処理促進剤は，食用廃油等の油脂成分を含有する生ゴミを生ゴミ分解処理装置を用いて分解する場合，該生ゴミ分解処理促進剤を添加することにより，該生ゴミの分解と共に，該油脂成分の分解をも促進させる効果を有し，該分解時に発生する悪臭を抑制し，分解時間の短縮化と効率化を促進し，且つ該分解菌の増殖をも図る効果を有する。
【００２４】
本発明の生ゴミ分解処理促進剤を用いることにより，分解に使用した菌床のｐＨが中性側に傾き，そして油分の分解率も従来技術に比べて格段に向上し，分解されずに腐敗が進行し生成する有機酸が減少し，悪臭の抑制が行われ，また該菌床自体は軽い綿状を呈し，分解により生成する水蒸気の除去も円滑に行われ，該菌床の湿度が低減し，該菌床の使用環境として最良の状態を維持する効果を有する。
【図面の簡単な説明】
【図１】この発明の実施例における，生ゴミ分解処理促進剤に用いる，各種原材料の混合率を変えた混合例に対する，生ゴミ分解評価に対する，使用可否の結果。
【図１】
0004171838.tif 000002